(57)【要約】【課題】積載能力を高めることができるとともに、耐久性に富む予備のトイレット用ロール紙の可動持受機構を備えたトイレット用ロール紙ホルダーを提供。【解決手段】  前記可動持受機構は本体１の両側壁間に水平軸線周りに９０°の回動角範囲に亘って往復回動可能に取り付けられている。操作部を操作して該可動持受機構を９０°上方に回動させることにより、該可動持受機構に持ち受けられている複数個の予備のロール紙Ｐ２、Ｐ３のうち、最下段のロール紙Ｐ２のみが該可動持受機構の持受板７から離脱して落下し、ホルダー部２にセットされるように構成されている。【選択図】図８
0003110384.tif 000002
【実用新案登録請求の範囲】
【請求項１】
下部にトイレット用ロール紙をセットするホルダー部を、その上方部位に予備のトイレット用ロール紙を上下に複数段に収納し得る収納部を、前記ホルダー部の前面に該ホルダー部にセットされたロール紙を外部に繰り出すための繰り出し開口部をそれぞれ備えた横断面四角形の縦長のケースからなる本体を具備するトイレット用ロール紙ホルダーにおいて、前記収納部に互いに上下に重なり合った態様で収納された複数個の予備のトイレット用ロール紙を持ち受ける可動持受機構を前記本体の両側壁間に水平軸線周りに往復回動可能に取り付けるとともに、該持受機構に操作部を作動連結し、該操作部を操作して該持受機構を所定の回動角範囲に亘って上方に回動させることにより、前記複数個の予備のロール紙のうち、最下段のロール紙のみが該持受機構から離脱して落下し、前記ホルダー部にセットされるように構成したことを特徴とするトイレット用ロール紙ホルダー。
【請求項２】
下部にトイレット用ロール紙をセットするホルダー部を、その上方部位に予備のトイレット用ロール紙を上下に複数段に収納し得る収納部を、前記ホルダー部の前面に該ホルダー部にセットされたロール紙を外部に繰り出すための繰り出し開口部をそれぞれ備えた横断面四角形の縦長のケースからなる本体を具備するトイレット用ロール紙ホルダーにおいて、前記収納部に互いに上下に重なり合った態様で収納された複数個の予備のトイレット用ロール紙を持ち受ける可動持受機構を前記本体の両側壁間に水平軸線周りに往復回動可能に取り付けるとともに、該持受機構に操作部を作動連結し、該操作部を操作して該持受機構を所定の回動角範囲に亘って上方に回動させることにより、前記複数個の予備のロール紙のうち、２段目のロール紙を最下段のロール紙から分離した状態において該最下段のロール紙のみを落下させ、前記ホルダー部にセットし得るように構成したことを特徴とするトイレット用ロール紙ホルダー。
【請求項３】
下部にトイレット用ロール紙をセットするホルダー部を、その上方部位に予備のトイレット用ロール紙を上下に複数段に収納し得る収納部を、前記ホルダー部の前面に該ホルダー部にセットされたロール紙を外部に繰り出すための繰り出し開口部をそれぞれ備えた横断面四角形の縦長のケースからなる本体を具備するトイレット用ロール紙ホルダーにおいて、所定の長さを有する断面弓状の持受板と該持受板の両端部に対向設置された左右一対の大略円形の側板とからなる第１の可動持受部材と、前記持受板と同一の長さを有する断面弓状の持受板と該持受板の両端部に対向設置された左右一対のほぼ弓状の側板とからなり、該側板の一方の端部において前記第１の可動持受部材の対向側板間に揺動可能に枢支された第２の可動持受部材とで構成された、前記収納部に互いに上下に重なり合った態様で収納された複数個の予備のトイレット用ロール紙を持ち受ける可動持受機構を前記本体の両側壁間に水平軸線周りに往復回動可能に取り付けるとともに、該持受機構に操作部を作動連結し、該操作部を操作して該持受機構を所定の回動角範囲に亘って上方に回動させると、前記２の可動持受部材の持受板が上方へ回動変位して前記複数個の予備のロール紙のうちの最下段のロール紙と２段目のロール紙との間に進入し両者を互いに分離して該２段目のロール紙の落下を阻止する一方、前記第１の可動持受部材の持受板が上方へ回動変位して該最下段のロール紙を落下させ、前記ホルダー部にセットし得るように構成したことを特徴とするトイレット用ロール紙ホルダー。
【請求項４】
前記操作部は前記本体の一方の側壁前部に設けた縦溝に上下方向に摺動自在に取り付けられているとともに、引っ張りばねを介して常時上方へ付勢偏倚されており、該引っ張ばねの弾性に抗して手で下方へ押し下げると、これに連動して前記可動持受機構が所定の回動角範囲に亘って上方に回動せしめられるようになっている一方、該操作部を押し下げた後、手を放して押圧力を解除すると、該操作部は前記引っ張ばねの復元力により上昇して元位置に復帰するとともに、前記可動持受機構が下方に回動せしめられ、これに伴って２段目のロール紙を落下させて持ち受けるようになっていることを特徴とする請求項２又は３に記載のトイレット用ロール紙ホルダー。 
【請求項５】
第２の可動持受部材の持受板がプラスチック製であることを特徴とする請求項４記載のトイレット用ロール紙ホルダー。
【請求項６】
第１の可動持受部材の左右一対の大略円形の側板が金属製であることを特徴とする請求項４記載のトイレット用ロール紙ホルダー。
【考案の詳細な説明】
【技術分野】
【０００１】
本考案は、予備のトイレット用ロール紙、すなわちロール状に巻かれたトイレットペーパーを複数個収納し得るストック機能を備えたトイレット用ロール紙ホルダーに関する。
【背景技術】
【０００２】
高速道路のサービスエリアや日常的に多数の人の出入りする各種施設等の公共用トイレ等においては、トイレット用ロール紙を頻繁に補給する必要があるため、下部にトイレット用ロール紙をセットするホルダー部を、その上方部位に予備のトイレット用ロール紙を上下に複数段に収納し得る収納部を、前記ホルダー部の前面に該ホルダー部にセットされたロール紙を外部に繰り出すための繰り出し開口部をそれぞれ備えた横断面四角形の縦長のケースからなる本体を具備し、ホルダー部にセットされたロール紙が使い尽くされたときに、収納部にストックされている予備のロール紙を順次ホルダー部にセットして用いられるようにしたタイプのトイレット用ロール紙ホルダーが使用されている。この種のものとしては、例えば、下記の文献等に開示されている。
【特許文献１】実開平６−８６６９１号公報
【特許文献２】実開平６−１９６９４号公報
【考案の開示】
【考案が解決しようとする課題】
【０００３】
この種のトイレット用ロール紙ホルダーにあっては、一般に、上記文献等に開示されているように、本体の内部から前方に上下回動可能に突出させた操作レバーないし把手からなる回動手段の内端部に円弧状曲面を有する可動枠ないし受け板を該回動手段と一体的に回動可能なように片持ばり状に取り付け、必要に応じて、該回動手段を回動操作することにより、前記可動枠ないし受け板上に互いに上下に重なり合った状態で保持されている予備のロール紙を最下段のものから順次ホルダー部に落下させて用に供することができるようにされている。
【０００４】
しかし乍ら、この種の従来例においては、予備のロール紙を持ち受ける可動枠ないし受け板が前述したように操作レバー等に片持ばり状に取り付けられているため、その取付構造に起因して予備のロール紙を持ち受けて担持するための機械的強度の点、したがって積載能力や耐久性の点に問題があった。
【０００５】
また、可動枠ないし受け板の円弧状曲面の曲率半径ないし撓曲度は一定であるため、外径の異なる複数個のロール紙を混在させた態様で予備のロール紙として該可動枠ないし受け板上に載置しておいて最下段のものから順次１個づつ円滑かつ確実に落下させることが困難であった。
【０００６】
本考案は、従来例の有する上記の如き問題点に鑑みてなされたものであって、予備のトイレット用ロール紙の積載能力を高めることができるとともに、耐久性に富む予備のトイレット用ロール紙の可動持受機構を備えたトイレット用ロール紙ホルダーを提供することをその一つの目的とするものである。
また、本考案の他の目的は、予備のトイレット用ロール紙の積載能力を高めることができるとともに、、耐久性に富み、しかも外径の異なる複数個のロール紙を混在させた態様で予備のロール紙として持ち受けて最下段のものから順次１個づつ円滑かつ確実に落下させることができるようにした可動持受機構を備えたトイレット用ロール紙ホルダーを提供しようとするものである。
【課題を解決するための手段】
【０００７】
上記目的を達成するために、本考案に係るトイレット用ロール紙ホルダーは、
下部にトイレット用ロール紙をセットするホルダー部を、その上方部位に予備のトイレット用ロール紙を上下に複数段に収納し得る収納部を、前記ホルダー部の前面に該ホルダー部にセットされたロール紙を外部に繰り出すための繰り出し開口部をそれぞれ備えた横断面四角形の縦長のケースからなる本体を具備するトイレット用ロール紙ホルダーにおいて、前記収納部に互いに上下に重なり合った態様で収納された複数個の予備のトイレット用ロール紙を持ち受ける可動持受機構を前記本体の両側壁間に水平軸線周りに往復回動可能に取り付けるとともに、該持受機構に操作部を作動連結し、該操作部を操作して該持受機構を所定の回動角範囲に亘って上方に回動させることにより、前記複数個の予備のロール紙のうち、最下段のロール紙のみが該持受機構から離脱して落下し、前記ホルダー部にセットされるように構成したことを特徴とするものである。
【０００８】
また、本考案に係るトイレット用ロール紙ホルダーは、下部にトイレット用ロール紙をセットするホルダー部を、その上方部位に予備のトイレット用ロール紙を上下に複数段に収納し得る収納部を、前記ホルダー部の前面に該ホルダー部にセットされたロール紙を外部に繰り出すための繰り出し開口部をそれぞれ備えた横断面四角形の縦長のケースからなる本体を具備するトイレット用ロール紙ホルダーにおいて、前記収納部に互いに上下に重なり合った態様で収納された複数個の予備のトイレット用ロール紙を持ち受ける可動持受機構を前記本体の両側壁間に水平軸線周りに往復回動可能に取り付けるとともに、該持受機構に操作部を作動連結し、該操作部を操作して該持受機構を所定の回動角範囲に亘って上方に回動させることにより、前記複数個の予備のロール紙のうち、２段目のロール紙を最下段のロール紙から分離した状態において該最下段のロール紙のみを落下させ、前記ホルダー部にセットし得るように構成したことを特徴とするものである。
【０００９】
さらにまた、本考案に係るトイレット用ロール紙ホルダーは、下部にトイレット用ロール紙をセットするホルダー部を、その上方部位に予備のトイレット用ロール紙を上下に複数段に収納し得る収納部を、前記ホルダー部の前面に該ホルダー部にセットされたロール紙を外部に繰り出すための繰り出し開口部をそれぞれ備えた横断面四角形の縦長のケースからなる本体を具備するトイレット用ロール紙ホルダーにおいて、所定の長さを有する断面弓状の持受板と該持受板の両端部に対向設置された左右一対の大略円形の側板とからなる第１の可動持受部材と、前記持受板と同一の長さを有する断面弓状の持受板と該持受板の両端部に対向設置された左右一対のほぼ弓状の側板とからなり、該側板の一方の端部において前記第１の可動持受部材の対向側板間に揺動可能に枢支された第２の可動持受部材とで構成された、前記収納部に互いに上下に重なり合った態様で収納された複数個の予備のトイレット用ロール紙を持ち受ける可動持受機構を前記本体の両側壁間に水平軸線周りに往復回動可能に取り付けるとともに、該持受機構に操作部を作動連結し、該操作部を操作して該持受機構を所定の回動角範囲に亘って上方に回動させると、前記２の可動持受部材の持受板が上方へ回動変位して前記複数個の予備のロール紙のうちの最下段のロール紙と２段目のロール紙との間に進入し両者を互いに分離して該２段目のロール紙の落下を阻止する一方、前記第１の可動持受部材の持受板が上方へ回動変位して該最下段のロール紙を落下させ、前記ホルダー部にセットし得るように構成したことを特徴とするものである。
【００１０】
また、本考案に係るトイレット用ロール紙ホルダーは、請求項２又は３に記載のものにおいて、前記操作部は前記本体の一方の側壁前部に設けた縦溝に上下方向に摺動自在に取り付けられているとともに、引っ張りばねを介して常時上方へ付勢偏倚されており、該引っ張ばねの弾性に抗して手で下方へ押し下げると、これに連動して前記可動持受機構が所定の回動角範囲に亘って上方に回動せしめられるようになっている一方、該操作部を押し下げた後、手を放して押圧力を解除すると、該操作部は前記引っ張ばねの復元力により上昇して元位置に復帰するとともに、前記可動持受機構が下方に回動せしめられ、これに伴って２段目のロール紙を落下させて持ち受けるようになっていることを特徴とするものである。 
【００１１】
さらにまた、本考案に係るトイレット用ロール紙ホルダーは、請求項４記載のものにおいて、第２の可動持受部材の持受板がプラスチック製であることを特徴とするものである。
【００１２】
そしてまた、本考案に係るトイレット用ロール紙ホルダーは、請求項４記載のものにおいて、第１の可動持受部材の左右一対の大略円形の側板が金属製であることを特徴とするものである。
【考案の効果】
【００１３】
本考案によれば、予備のトイレット用ロール紙の積載能力を高めることができるとともに、耐久性に富む予備のトイレット用ロール紙の可動持受機構を備えたトイレット用ロール紙ホルダーを得ることができる。
また、本考案によれば、予備のトイレット用ロール紙の積載能力を高めることができるとともに、耐久性に富み、しかも外径の異なる複数個のロール紙を混在させた態様で予備のロール紙として持ち受けて最下段のものから順次１個づつ円滑かつ確実に落下させることができるようにした可動持受機構を備えたトイレット用ロール紙ホルダーを得ることができる。
【考案を実施するための最良の形態】
【００１４】
以下、本考案の実施形態につき、その実施例を中心として詳細に説明する。
【実施例】
【００１５】
図面において、１は本考案に係るトイレット用ロール紙ホルダーの本体で、横断面四角形の縦長のケースからなっており、その下部にロール状に巻かれたトイレットペーパーであるトイレット用ロール紙をセットするホルダー部２を、該ホルダー部の上方部位に予備のトイレット用ロール紙を上下に複数段に収納し得る収納部３を、ホルダー部２の前面に該ホルダー部にセットされたロール紙Ｐ１を外部に繰り出すための繰り出し開口部４をそれぞれ備えている。
【００１６】
符号Ａは、本体１の内部空間としての収納部３に互いに上下に重なり合った態様で収納された複数個の予備のトイレット用ロール紙（以下、ロール紙という。）Ｐ２、Ｐ３を持ち受ける可動持受機構であり、この可動持受機構Ａは本体１の左右一対の側壁５、６間に水平軸線周りに往復回動可能に取り付けられているとともに、これには外部から手動操作し得る操作部Ｂが作動連結されている。そして、この操作部Ｂを操作して該持受機構Ａを所定の回動角範囲に亘って上方に回動させることにより、前記複数個の予備のロール紙Ｐ２、Ｐ３のうち、２段目のロール紙Ｐ３を最下段のロール紙Ｐ２から分離した状態において該最下段のロール紙のみを離脱落下させ、前記ホルダー部２にセットし得るようになっている。
【００１７】
前記可動持受機構Ａは、図示の例にあっては、所定の長さを有する断面弓状のプラスチック製の持受板７と該持受板の両端部に対向設置された左右一対の大略円形の金属製側板８とからなる第１の可動持受部材Ａ１と、前記持受板７と同一の長さを有する断面弓状の持受板９と該持受板の両端部に対向設置された左右一対の細長いほぼ弓状の側板１０とからなり、該側板１０の一方の端部において枢軸１１を介して前記第１の可動持受部材Ａ１の前記円形側板８の下部の偏心部位に前後方向に揺動可能に枢支された第２の可動持受部材Ａ２とから構成されている。符号１２は前記側板１０の他方の端部に外方に向けてそれぞれ突設されたガイド・ピンで、前記円形側板８の上方偏心部位にそれぞれ対向して設けた円弧状のガイド孔１３に挿通されている。
【００１８】
前記操作部Ｂは、図示の例にあっては、外方に突出するつまみＢ１及びこれと一体の縦長の作動アームＢ２を具備し、前記本体Ａの右側壁６前部に設けた縦溝１４に上下方向に摺動自在に取り付けられているとともに、引張ばねＢ３を介して常時上方へ付勢偏倚されており、該引張ばねの弾性に抗して手でつまみＢ１を介して下方へ押し下げると、これに連動して、前記可動持受機構Ａがその左右の円形側板８の中心部にそれぞれ外方に向けて突設され、本体１の対向側壁５、６に支承されたボス部８Ａを中心軸として９０°の回動角範囲に亘って上方に回動せしめられるようになっている一方、該操作部を押し下げた後、手を放して押圧力を解除すると、該操作部は引張ばねＢ３の復元力により上昇して元位置に復帰するとともに、可動持受機構Ａが下方に回動せしめられ、これに伴って２段目のロール紙Ｐ３を落下させてこれを最終段のものとして持ち受けるようになっている。
【００１９】
前記した本体１の両側壁５、６は、図示の例にあっては、図２に示されているように、いずれも外壁５Ａ、６Ａ及び内壁５Ｂ、６Ｂからなる中空壁構造を有し、各内壁５Ｂ、６Ｂには、内側に開口する円形の凹所５Ｂ′、６Ｂ′が対向して形成されており、この対向円形凹所５Ｂ′、６Ｂ′内に可動持受機構Ａの対向円形側板部８が内壁面と面一となった状態でそれぞれ回動可能に収容されている。
【００２０】
符号１５は、円形凹所６Ｂ′を形成している右側壁６の内壁６Ｂの部分に設けた透孔（図示してない）を左右方向に水平に貫通させ、その一端部を前記操作部Ｂの作動アームＢ２の上端部に設けた長孔Ｂ２′遊嵌するとともに、他端部を右側の円形側板８における前記ガイド孔１３の設置部位とは反対側の偏心部位に設けたガイド溝８Ｂに遊嵌した作動ロッドであり、操作部Ｂの上下動と連動して遊動し、可動持受機構Ａを往復回動させるようになっている。符号１６（図２参照）は、第２の可動持受部材Ａ２を図７において内方、すなわち反時計方向に付勢偏倚させるための引張ばねであって、その上端は該持受部材Ａ２のガイド・ピン１２に、その下端は内壁５Ｂ外側の下部適所にそれぞれ止着されている。また、図示してないが、第２の可動持受部材Ａ２を常態において、図７において外方、すなわち時計方向に付勢偏倚させるための引張ばねが前記引張ばねの止着態様と同様の態様で止着されている。なお、図１及び２において、符号１７は、予備のロール紙を投入する本体１の上端開口部を開閉する上蓋１８を閉鎖位置にロックして、投入された予備のロール紙の盗難を防止するためのロック装置である。
【００２１】
次に、以上の如く構成された図示のトイレット用ロール紙ホルダーの使用態様ないし動作について図７及び８を参照して説明する。
図７の（Ａ）、（Ｂ）、（Ｃ）は、互いに上下に重なり合った態様で可動持受機構Ａに持ち受けられている２個の予備のロール紙Ｐ２、Ｐ３のうち、最下段のロール紙Ｐ２を２段目のロール紙Ｐ３から分離してホルダー部２上に落下させてロール紙を補充してやる場合における可動持受機構Ａの動作態様を図解したものであり、図８の（Ａ）、（Ｂ）、（Ｃ）は、図７の（Ａ）、（Ｂ）、（Ｃ）に示す該機構Ａの動作態様に対応して変化する第１の可動持受部材Ａ１の持受板７及び第２の可動持受部材Ａ２の持受板９の各位置を図解したものである。
図７の（Ａ）は、可動持受機構Ａが静止している状態を示す。この状態においては、第２の可動持受部材Ａ２の側板１０の先端部は、不図示の前記引張ばねの引張作用によりガイド孔１３の外方に付勢され、その右端部に偏倚されており、これに応じて該持受部材Ａ２の持受板９は、図８（Ａ）に示すように、その下方に位置する第１の可動持受部材Ａ１の持受板７と共同して最下段のロール紙Ｐ２を持ち受けている。この状態において操作部Ｂを引張ばねＢ３の弾性に抗してつまみＢ１を介して押し下げると、第１の可動持受部材Ａ１は図７の（Ａ）の静止位置から反時計方向に回動せしめられ、９０°回動するとその角位置に停止せしめられる。図７の（Ｃ）は、それが９０°回転してその角位置に停止せしめられた状態を示し、図７（Ｂ）はそれが図７の（Ａ）と（Ｃ）との中間の角位置にある状態を示している。
図８の（Ｂ）は、第１の可動持受部材Ａ１が前記中間の角位置にある場合における前記した２つの持受板７、９の角位置を示しており、この場合、第２の可動持受部材Ａ２の持受板９は最下段のロール紙Ｐ２と２段目のロール紙Ｐ３との間に進入し両者を互いに分離して２段目のロール紙Ｐ３の落下を阻止する一方、第１の可動持受部材Ａ１の持受板７は最下段のロール紙Ｐ２を依然として保持している。この状態から第１の可動持受部材Ａ１が反時計方向に更に回動し、その持受板７が図８の（Ｃ）の角位置まで回動変位すると、該持受板は最下段のロール紙Ｐ２を釈放して落下させることになる。そして、このロール紙Ｐ２が落下した後、操作部Ｂから手を放して押圧力を解除すると、可動持受機構Ａを構成する第１の可動持受部材Ａ１及び第２の可動持受部材Ａ２は前記引張ばねＢ３及び前記不図示の引張ばねの各復元力によりそれぞれ時計方向に回動変位せしめられ、元位置に復帰するとともに、２段目のロール紙Ｐ３はこれに伴って落下し、第１及び第２の可動持受部材Ａ１、Ａ２の各持受板７、９によって最下段の予備のロール紙として持ち受けられる。
【産業上の利用可能性】
【００２２】
以上、説明の便宜上、収納部３に２個の予備ロール紙を収納した場合を例にとって説明したが、図示のロール紙ホルダーにあっては、予備のロール紙を３個収納することができるように設計されているので、３段目のロール紙を収納することが可能である。
また、本考案にあっては、可動持受機構Ａは本体１の両側壁５、６間に軸支されているため、予備のロール紙を持ち受けて担持するための機械的強度が回動操作手段に片持ばり状に取り付けられている上下方向に回動可能な受け板ないし可動枠を備えた従来例に比べて遥かに強いので、本体の高さを高くして３個以上の予備のロール紙を持ち受けられるように設計することが可能となる。さらにまた、本考案にあっては、上記のように２つの予備のロール紙Ｐ２、Ｐ３の間に進入して両者を分離する持受板９を有する第２の可動持受部材Ａ２を具備するので、外径の異なる複数個のロール紙を混在させた態様で予備のロール紙として用いることが可能となる。
【図面の簡単な説明】
【００２３】
【図１】本考案の一実施例としてのトイレット用ロール紙ホルダーの全体斜視図である。
【図２】図１に示したトイレット用ロール紙ホルダーの本体の前壁部の一部を破断してその要部を示した正面図である。
【図３】予備のトイレット用ロール紙の可動持受機構の分解斜視図である。
【図４】第２の可動持受部材の斜視図である。
【図５】可動持受機構の組立斜視図である。
【図６】操作部の右側面図である。
【図７】可動持受機構の動作態様を示す右側面図である。
【図８】図７の（Ａ）、（Ｂ）、（Ｃ）にそれぞれ対応する第１の可動持受部材の持受板と第２の可動持受部材の持受板のロール紙に対する関係位置を図解した縦断側面図である。
【符号の説明】
【００２４】
１        トイレット用ロール紙ホルダーの本体
２        ホルダー部
３        収納部
４        繰り出し開口部
Ｐ２、Ｐ３  予備のトイレット用ロール紙
５、６    側壁
Ａ        可動持受機構
Ａ１      第１の可動持受部材
Ａ２      第２の可動持受部材
７        第１の可動持受部材の持受板
９        第２の可動持受部材の持受板
Ｂ        操作部
【図１】
0003110384.tif 000003
【図２】
0003110384.tif 000004
【図３】
0003110384.tif 000005
【図４】
0003110384.tif 000006
【図５】
0003110384.tif 000007
【図６】
0003110384.tif 000008
【図７】
0003110384.tif 000009
【図８】
0003110384.tif 000010
【手続補正書】
【提出日】平成17年3月9日(2005.3.9)
【手続補正１】
【補正対象書類名】図面
【補正対象項目名】図５
【補正方法】変更
【補正の内容】
【図５】
0003110384.tif 000011
【手続補正２】
【補正対象書類名】図面
【補正対象項目名】図７
【補正方法】変更
【補正の内容】
【図７】
0003110384.tif 000012